【事件の表示】
　特願２０１５−５４９７２４「プライバシー・モードのあるカメラ」拒絶査定不服審判事件〔平成２６年　６月２６日国際公開、ＷＯ２０１４／１００４５５、平成２８年　３月　３日国内公表、特表２０１６−５０６６６９〕について、次のとおり審決する。
【結　論】
　本件審判の請求は、成り立たない。
【理　由】
第１　経緯及び本願発明
１　経緯
　本件出願は、２０１３年（平成２５年）１２月１９日（パリ条約による優先権主張外国庁受理２０１２年１２月２０日、米国）を国際出願日とする出願であって、その手続の経緯は、以下のとおりである。
　　
　平成２８年１１月３０日：手続補正
　平成２９年１１月２４日：拒絶理由の通知
　平成３０年　３月　１日：意見書の提出、手続補正
　平成３０年　４月　６日：拒絶査定
　平成３０年　４月１７日：拒絶査定の謄本の送達
　平成３０年　８月１７日：拒絶査定不服審判の請求
　平成３０年　８月１７日：手続補正
　令和　１年１０月２３日：拒絶理由の通知（当審）
　令和　２年　１月２９日：意見書の提出、手続補正
　令和　２年　２月２８日：拒絶理由の通知（当審）
　令和　２年　６月　２日：意見書の提出、手続補正
　　
２　当審拒絶理由の概要
　令和１年１０月２３日付け当審拒絶理由のうち、進歩性に係る拒絶理由は、概略、次のとおりである。
　　
［当審拒絶理由］
　この出願の請求項１〜１０に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
　　　　　　記 
　引用文献１：特表２０１０−５２５６６７号公報
　引用文献２：国際公開第２００８／０５０９０４号
３　本願発明 
　本願の請求項１〜９に係る発明は、令和２年６月２日付け手続補正により補正された特許請求の範囲の記載からみて、その特許請求の範囲の請求項１〜９に記載した事項により特定されるとおりのものであるところ、請求項１に係る発明（以下「本願発明」という。）は、次のとおりのものである。
　なお、（Ａ）〜（Ｆ）は、当審で付与した。以下各構成要件を「構成要件Ａ」〜「構成要件Ｆ」という。
　　
（本願発明）
（Ａ）アレイをなす複数のカメラを含むプライバシー・カメラの動作方法であって：
（Ｂ）前景および背景を含むシーン内の関心オブジェクトを判別する段階と；
（Ｃ）背景ぼかしおよび背景置換を含むプライバシー・モードからプライバシー・モードを決定する段階と；
（Ｄ）前記決定されたプライバシー・モードが背景ぼかしであるとき、前記シーンの前景における関心オブジェクトは焦点が合って見え、前記シーンの背景内のオブジェクトは焦点が合っていないように見えるように、前記プライバシー・カメラについて限られた被写界深度を設定することによって、画像を生成する段階であって、
（Ｄ-1）前記複数のカメラからのそれぞれの画像を組み合わせて、焦点があって見える関心オブジェクトと、ぼけて見える前記シーンの背景内のオブジェクトを含む単一の画像を生成し、前記背景内のオブジェクトは、前記アレイの大きさ及び／又は前記アレイ内の前記複数のカメラの間隔に応じたぼかし効果を有する、段階と；
（Ｅ）前記決定されたプライバシー・モードが背景置換であるとき、前記前景を判別することにおいて使われる前記プライバシー・カメラの動的に調節可能な前景奥行きを、前記シーン内の関心オブジェクトを含むように設定し、前記背景を置換画像および充填物のうちの少なくとも一方で置き換えることによって画像を生成する段階と；
（Ｆ）前記画像を表示する段階とを含む、
（Ａ）方法。
　　
第２　引用文献の記載事項及び引用文献に記載された発明
１　引用文献１
（１）引用文献１の記載事項
　当審拒絶理由に引用された引用文献１（特表２０１０−５２５６６７号公報）には、「
テレビ電話におけるプライバシーを最大にするための浅い被写界深度の模擬実験
　　
ア「【００１７】
　図１〜３は、本配置に被写界深度の原理を適用することを例示するために与えられている。図１は、カメラ１０５と、その視野内にある２つの黒色および白色パターン化ターゲット１１２および１１５とを示す図形説明図である。図示するように、ターゲット１１２はカメラの視野の前景にあり、ターゲット１１５は背景にある。図２に示すのは、深い焦点深度をカメラ１０５が選択したときの画像の見かけの例である。図示するように、ターゲット１１２および１１５は両方とも焦点が合っている。比較して、図３に示すのは、
焦点深度がより浅い場合の画像
前景にあるターゲット１１２は焦点が合っているが、背景にあるターゲット１１５はもはや焦点が合っておらず、ぼやけて見える
　　
イ「【００１８】
　
図４
２人のテレビ電話ユーザがビデオ電話通信セッションに参加している
配置４００
　【００１９】
　図５は、図４に示すテレビ電話４０８の図形図である。テレビ電話４０８は、消費者市場に市販されているテレビ電話を表わす。
テレビ電話４０８は
ディスプレイ・コンポーネントを備え
テレビ電話４０８
カメラ５１４
　　
ウ「【図４】
【図５】
」
エ「【００２１】
　
表示コンポーネントはスクリーン５１６を備え
スクリーン５１６の受像領域５２０は
テレビ電話４２６内のカメラによって取り込まれたユーザ４３０のビデオ画像を表示する
　【００２２】
　取り付けアーム５１２が、ディスプレイ・コンポーネントおよびカメラ５１４を、基部５０５から上方にある距離を置いて位置決めするように配置されている。この距離は、表示ビデオ画像を快適に見ることが実現され、テレビ電話ユーザの良好な視野を用いてカメラ５１４を位置決めするようにするためのものである。取り付けアーム５１２内には、テレビ電話動作制御５３２が配置されている。テレビ電話動作制御５３２は、ユーザが、テレビ電話通話を設定し、ユーザ選好を設定し、テレビ電話設定を調整するなどのために、設けられている。
　【００２３】
　図４を再び参照して、テレビ電話ユーザ４３０は、テレビ電話４２６内に配置されたカメラによって取り込まれる場面４４０の前景に位置している。前景を参照数字４４２によって示す。同様に、図示するように、室内用鉢植え植物４５０が場面の中景４５２にあり、家族メンバ４６０が背景４６２にいる。
　【００２４】
　図６に、図４における取り込まれた場面４４０のビデオ画像の、テレビ電話４０８によってスクリーン５１６上に表示されたときの例示的なスクリーン・ショット６００を示す。図示するように、表示された画像は被写界深度が深い状態で現れており、ユーザ４３０、室内用鉢植え植物４５０、および家族メンバ４６０はすべて焦点が合っている。前述したように、このような深い被写界深度は普通、従来のテレビ電話によって表示されるビデオ画像に対して与えられている。また、取り込んだ場面内のすべての対象をこのように鮮明に結像することは、プライバシーに対する懸念を示す場合がある。
　【００２５】
　図６に示す従来の被写界深度が深いビデオ画像と比べて、図７に、本配置によって実現される模擬実験された
浅い被写界深度を有するビデオ画像
テレビ電話４０８によってスクリーン５１６上に表示されたもの
前景４４２におけるユーザ４３０の画像のみが焦点が合った状態に保持され、一方で、室内用鉢植え植物４５０および家族メンバ４６０は、
不鮮明にされて不明瞭にされている
オ「【図６】　　　　　　　【図７】
」
カ「【００２６】
　図８は、
取り込まれたビデオ画像を、焦点が合った状態に保持されている対象領域８０５と、
不鮮明にされている残りの部分８１０とにする
物体検出技術として、
ユーザの顔、頭、および肩
を
取り込まれたビデオ画像内で動的に検出して追跡する技術が用いられている
　　
キ「【００５４】
　分離論理回路１５２０は、カメラ５１４からビデオ画像を分離して、
ターゲット部分
残りの部分
　【００５５】
　不鮮明化論理回路１５２６は、取り込まれたビデオ画像の残りの部分を不鮮明にして、その内部の画素の錯乱円を増加させ、その結果、主体を不明瞭にするように配置されている。このような不鮮明化は、図１３および１４に付随するテキストで説明したデジタル・フィルタリング技術のうちの１または複数を用いて行なう。不鮮明化論理回路は任意的に、ユーザからの入力に応答可能なように不鮮明化の度合いを調整するように構成される。不鮮明化論理回路１５２６は代替的に、
取り込まれたビデオ画像の残りの部分を
あらかじめ定義された画像（たとえば壁紙）と入れ替えるように配置されている
　　
ク「【００６５】
　別の代替的な例示的実施形態では、任意または
所定の画像
を用いて、取り込まれたビデオ画像の残りの部分（すなわち、取り込まれたビデオ画像の、焦点が合った状態に保持されるターゲット部分以外の部分）と入れ替えて
　　
（２）引用文献１に記載された発明
　上記（１）イによると、図４には、２人のテレビ電話ユーザがビデオ電話通話セッションに参加している配置４００が示され、テレビ電話はカメラ、ディスプレイ・コンポーネントを備えている。
　上記（１）エの段落【００２１】によると、表示コンポーネントはスクリーン５１６を備え、テレビ電話のスクリーン５１６の受像領域５２０は、テレビ電話４２６内のカメラによって取り込まれたユーザ４３０のビデオ画像を表示するように配置されている。
　上記（１）エの段落【００２５】によると、ビデオ画像は、浅い被写界深度を有するビデオ画像、すなわち、前景４４２におけるユーザ４３０の画像のみが焦点が合った状態に保持され、一方で、室内用鉢植え植物４５０および家族メンバ４６０は、不鮮明にされて不明瞭にされるものである。
　また、ビデオ画像として、上記（１）クによると、取り込まれたビデオ画像の、焦点が合った状態に保持されるターゲット部分以外の部分を所定の画像と入れ替えたものがある。
　さらに、上記（１）カによると、取り込まれたビデオ画像を、焦点が合った状態に保持されている対象領域と、不鮮明にされている残りの部分とにするために用いる物体検出技術として、ユーザの顔、頭、および肩を取り込まれたビデオ画像内で動的に検出して追跡する技術が用いられている。
　以上のテレビ電話のカメラの動作を方法の発明（以下「引用発明」という。）として認定すると、次のとおりである。
　　
（引用発明）
（ａ）テレビ電話のカメラの動作方法であって、
（ｂ）浅い被写界深度を有するビデオ画像、すなわち、前景４４２におけるユーザ４３０の画像のみが焦点が合った状態に保持され、一方で、室内用鉢植え植物４５０および家族メンバ４６０は、不鮮明にされて不明瞭にされるビデオ画像を生成する段階、
　又は、
（ｃ）取り込まれたビデオ画像の、焦点が合った状態に保持されるターゲット部分以外の部分を所定の画像と入れ替えたビデオ画像を生成する段階、及び、
（ｄ）取り込まれたビデオ画像を、焦点が合った状態に保持されている対象領域と、不鮮明にされている残りの部分とにするために、ユーザの顔、頭、および肩を取り込まれたビデオ画像内で動的に検出して追跡する段階とを含み、
（ｅ）さらに、上記ビデオ画像を表示する段階とを含む
（ａ）方法。
　　　
　なお、（ａ）〜（ｅ）は、構成を識別するために付与した。以下各構成を「構成ａ」〜「構成ｅ」という。
　　
２　引用文献２
（１）引用文献２の記載事項
　当審拒絶理由に引用された引用文献２（国際公開第２００８／０５０９０４号）には、「解像度仮想焦点面画像生成方法」（発明の名称）に関し、図面と共に次に掲げる事項が記載されている（下線は当審が付与した。）。
　　
ア「＜１−１＞撮像面に平行な仮想焦点面 
　本発明では、「仮想焦点面画像」を生成するために、まず、撮影対象に対して複数の視点から撮影を行うことにより、１組の多視点画像を取得する必要がある。
　この多視点画像は、例えば、第１図に示すような格子状配置の２５眼ステレオカメラ（以下、単に、
カメラアレイ
２５眼ステレオカメラを用いて撮影して得られた多視点画像
　このとき、第１図に示す格子状配置の中心となるカメラから撮影された画像を基準画像（第３図（Ａ）を参照）として、第２図に示す多視点画像に対し、多眼ステレオ３次元計測を行うことにより、第３図（Ｂ）に示すような視差マップ（以下、単に「視差画像」とも言う）を得ることができる。
　このとき、第２図に示す多視点画像の撮影シーンにおける物体配置関係及び仮想焦点面の配置を模式的に表すと、第４図のようになり、これらを比較することで、視差は実空間中の奥行きと対応し、カメラに近い位置に存在する物体ほど値が大きく、カメラから離れた位置に存在する物体ほど値が小さくなることがわかる。また、同一の奥行きに存在する物体は同一の値となり、視差の値が同一となる実空間中の平面は、カメラに対してフロントパラレルな平面となる。
　ここで、視差は参照画像と基準画像のずれ量を示していることから、
ある奥行きに存在する点について、対応する視差を用いてすベての参照画像を基準画像と重なるように変形する
「参照画像」とは、１組の多視点画像を構成する複数の画像のうち、基準画像として選択された画像を除いて残りの全ての画像
　
イ「第５図には、この
「ある奥行きに存在する点について、対応する視差を用いてすべての参照画像を基準画像と重なるように変形する」といった方法を用いて、
多視点画像に基づいて合成した仮想焦点面画像
　本発明では、このときに
注目した視差に対応して生じた仮想的な焦点面を「仮想焦点面」
第５図（Ａ）及び第５図（Ｂ）は、それぞれ奥の壁面、手前の箱の前面に仮想焦点面を置いたときの仮想焦点面画像
合成された仮想焦点面画像
　一般的に、被写界深度の浅い画像では、焦点は画像上でもっとも関心の高い被写体の存在する奥行きに対して合わせられる。このとき、合焦対象となる被写体では鮮鋭度の高い高画質の画像を得ることができ、他の不要な奥行きでは、ぼけの生じた画像となる。「仮想焦点面面像」もこれに似た性質を持ち、
仮想焦点面上では画像の鮮鋭度が高く、仮想焦点面から離れた点になるにつれ、画像にぼけが生じる
　　
（２）引用文献２に記載された発明
　上記（１）アによると、引用文献２には、アレイをなす複数のカメラが記載され、当該カメラを用いて得られた多視点画像の１つを基準画像とし、残りの全ての画像を参照画面とし、ある奥行きに存在する点について、対応する視差を用いて全ての参照画像を基準画像に重なるように変形することが記載されている。
　また、上記（１）イによると、ある奥行きに存在する点について、対応する視差を用いて全ての参照画像を基準画像に重なるように変形するといった方法を用いて、多視点画像に基づいて合成した仮想焦点面画像を生成する。ここで、仮想焦点面は、注目した視差に対応して生じた仮想な焦点面である。
　さらに、上記（１）イによると、「第５図（Ａ）及び第５図（Ｂ）は、それぞれ奥の壁面、手前の箱の前面に仮想焦点面を置いたときの仮想焦点面画像である」から、仮想焦点面は設定できるものである。
　そして、上記（１）イによると、「仮想焦点面上では画像の鮮鋭度が高く、仮想焦点面から離れた点になるにつれ、画像にぼけが生じる」。
　
　以上によると、引用文献２には、次の発明（以下「引用文献２発明」という。）が記載されている。
　
（引用文献２発明）
　アレイをなす複数のカメラであって、
　前記複数のカメラを用いて撮影して得られた多視点画像の１つを基準画像とし、残りの全ての画像を参照画面とし、ある奥行きに存在する点について、対応する視差を用いて、全ての参照画像を基準画像に重なるように変形し、多視点画像に基づいて合成した仮想焦点面画像を生成し、
　前記仮想焦点面は、注目した視差に対応して生じた仮想な焦点面であって、設定でき、
　仮想焦点面上では画像の鮮鋭度が高く、仮想焦点面から離れた点になるにつれ、画像にぼけが生じる、
　アレイをなす複数のカメラ。
　　
第３　対比
１　対比
　本願発明と引用発明とを対比する。
　　
（１）構成要件Ａと構成ａとを対比する。
　構成ａの「テレビ電話のカメラ」は、構成ｂによると、ユーザの画像以外は不明瞭にされ、構成ｃによると、ターゲット以外の部分を所定の画像と入れ替えるから、「プライバシー・カメラ」といえる。
　したがって、構成要件Ａと構成ａとは、「プライバシー・カメラの動作方法」として共通する。
　しかしながら、「プライバシー・カメラ」が、本願発明においては、「アレイをなす複数のカメラを含む」ものであるのに対し、引用発明においては、「アレイをなす複数のカメラを含む」ものでない点で相違する。
　　
（２）構成要件Ｂと構成ｄとを対比する。
　構成ｄの「ユーザの顔、頭、および肩を取り込まれたビデオ画像内で動的に検出」することは、構成要件Ｂの「前景および背景を含むシーン内の関心オブジェクトを判別する」ことに相当するから、構成要件Ｂと構成ｄとは一致する。
　　
（３）構成要件Ｃについて
　引用発明には、「背景ぼかしおよび背景置換を含むプライバシー・モードからプライバシー・モードを決定する段階」はなく、本願発明と相違する。
　　
（４）構成要件Ｄと構成ｂとを対比する。
　構成ｂは、「浅い被写界深度を有するビデオ画像、すなわち、前景４４２におけるユーザ４３０の画像のみが焦点が合った状態に保持され、一方で、室内用鉢植え植物４５０および家族メンバ４６０は、不鮮明にされて不明瞭にされるビデオ画像を生成する段階」であって、浅い被写界深度を有するビデオ画像を生成するから、浅い被写界深度を設定しているといえる。
　そして、構成ｂは、背景をぼかしているといえるから、「背景ぼかしであるとき」といえる。
　したがって、構成要件Ｄと構成ｂとは、「背景ぼかしであるとき、前記シーンの前景における関心オブジェクトは焦点が合って見え、前記シーンの背景内のオブジェクトは焦点が合っていないように見えるように、前記プライバシー・カメラについて限られた被写界深度を設定することによって、画像を生成する段階」として共通する。
　しかしながら、上記（３）のとおり、引用発明は「背景ぼかしおよび背景置換を含むプライバシー・モードからプライバシー・モードを決定する段階」がないから、「背景ぼかしであるとき」が、「前記決定されたプライバシー・モードが背景ぼかしであるとき」と特定されてない点で、本願発明と相違する。
　　
（５）構成要件Ｄ-1について
　上記（１）のとおり、引用発明は、「アレイをなす複数のカメラを含む」ものでないから、複数のカメラに関連する構成要件Ｄ-1を有していない点で、本願発明と相違する。
　　
（６）構成要件Ｅと構成ｃとを対比する。
　構成ｃは、「取り込まれたビデオ画像の、焦点が合った状態に保持されるターゲット部分以外の部分を所定の画像と入れ替えたビデオ画像を生成する段階」であって、「焦点が合った状態に保持されるターゲット部分」があるから、「前記前景を判別することにおいて使われる前記プライバシー・カメラの動的に調節可能な前景奥行きを、前記シーン内の関心オブジェクトを含むように設定」されていることは明らかであり、「焦点が合った状態に保持されるターゲット部分以外の部分を所定の画像と入れ替え」るから、「前記背景を置換画像および充填物のうちの少なくとも一方で置き換えることによって画像を生成する」といえる。
　そして、構成ｃは、背景を置換しているといえるから、「背景置換であるとき」といえる。
　したがって、構成要件Ｅと構成ｃとは、「背景置換であるとき、前記前景を判別することにおいて使われる前記プライバシー・カメラの動的に調節可能な前景奥行きを、前記シーン内の関心オブジェクトを含むように設定し、前記背景を置換画像および充填物のうちの少なくとも一方で置き換えることによって画像を生成する段階」として共通する。
　しかしながら、上記（３）のとおり、引用発明は「背景ぼかしおよび背景置換を含むプライバシー・モードからプライバシー・モードを決定する段階」がないから、「背景置換であるとき」が、「前記決定されたプライバシー・モードが背景置換であるとき」と特定されてない点で、本願発明と相違する。
　　
（７）構成要件Ｆと構成ｅとを対比する。
　構成ｅは、「前記画像を表示する段階」として、構成要件Ｆと一致する。
　　
２　一致点、相違点
　以上によると、本願発明と引用発明との一致点、相違点は、次のとおりである。
　なお、共通するものの相違点がある構成要件には、記号に「’」を付与した。
　　
（一致点）
（Ａ’）プライバシー・カメラの動作方法であって：
（Ｂ）前景および背景を含むシーン内の関心オブジェクトを判別する段階と；
（Ｄ’）背景ぼかしであるとき、前記シーンの前景における関心オブジェクトは焦点が合って見え、前記シーンの背景内のオブジェクトは焦点が合っていないように見えるように、前記プライバシー・カメラについて限られた被写界深度を設定することによって、画像を生成する段階と；
（Ｅ’）背景置換であるとき、前記前景を判別することにおいて使われる前記プライバシー・カメラの動的に調節可能な前景奥行きを、前記シーン内の関心オブジェクトを含むように設定し、前記背景を置換画像および充填物のうちの少なくとも一方で置き換えることによって画像を生成する段階と；
（Ｆ）前記画像を表示する段階とを含む、
（Ａ）方法。
　　
（相違点１）
　「プライバシー・カメラ」が、本願発明においては「アレイをなす複数のカメラを含む」ものであるのに対し、引用発明においては「アレイをなす複数のカメラを含む」ものでない点（以下「相違点１−１」という。）で相違し、当該相違に伴い、本願発明においては、「前記複数のカメラからのそれぞれの画像を組み合わせて、焦点があって見える関心オブジェクトと、ぼけて見える前記シーンの背景内のオブジェクトを含む単一の画像を生成し、前記背景内のオブジェクトは、前記アレイの大きさ及び／又は前記アレイ内の前記複数のカメラの間隔に応じたぼかし効果を有する」のに対し、引用発明においては「前記複数のカメラからのそれぞれの画像を組み合わせて、焦点があって見える関心オブジェクトと、ぼけて見える前記シーンの背景内のオブジェクトを含む単一の画像を生成」するものではなく、「前記背景内のオブジェクトは、前記アレイの大きさ及び／又は前記アレイ内の前記複数のカメラの間隔に応じたぼかし効果を有する」ものではない点（以下「相違点１−２」という。）
　　
（相違点２）
　本願発明は、「背景ぼかしおよび背景置換を含むプライバシー・モードからプライバシー・モードを決定する段階」を含むものであるのに対し、引用発明は、「背景ぼかしおよび背景置換を含むプライバシー・モードからプライバシー・モードを決定する段階」を含むものでない点で相違し、当該相違に伴い、「背景ぼかしであるとき」及び「背景置換であるとき」が、本願発明においては「前記決定されたプライバシー・モードが背景ぼかしであるとき」及び「前記決定されたプライバシー・モードが背景置換であるとき」であるのに対し、引用発明においては「前記決定されたプライバシー・モードが背景ぼかしであるとき」及び「前記決定されたプライバシー・モードが背景置換であるとき」ではない点
　　
第４　判断
　各相違点について検討する。
　　
１　相違点１について
（１）相違点１−１について
　上記第２の２（２）のとおり、引用文献２には、
「アレイをなす複数のカメラであって、
　前記複数のカメラを用いて撮影して得られた多視点画像の１つを基準画像とし、残りの全ての画像を参照画面とし、ある奥行きに存在する点について、対応する視差を用いて、全ての参照画像を基準画像に重なるように変形し、多視点画像に基づいて合成した仮想焦点面画像を生成し、
　前記仮想焦点面は、注目した視差に対応して生じた仮想な焦点面であって、設定でき、
　仮想焦点面上では画像の鮮鋭度が高く、仮想焦点面から離れた点になるにつれ、画像にぼけが生じる、
　アレイをなす複数のカメラ。」（引用文献２発明）
が記載されている。
　引用文献２発明は、仮想焦点面が設定でき、焦点位置を変更可能なカメラであるから、引用発明の前景（又はターゲット部分）に焦点を合わせるカメラとして、引用文献２発明のカメラを採用することは、当業者が容易に想到し得ることである。
　したがって、引用発明の「カメラ」に、引用文献２発明の「アレイをなす複数のカメラ」を採用し、「アレイをなす複数のカメラを含むプライバシー・カメラ」とすることは、当業者が容易に想到し得ることである。
（２）相違点１−２について
　引用文献２発明のアレイをなす複数のカメラは、多視点画像に基づいて合成した仮想焦点面画像を生成し、仮想焦点面上では画像の鮮鋭度が高く、仮想焦点面から離れた点になるにつれ、画像にぼけが生じるものであるから、焦点があって見える関心オブジェクトと、ぼけて見える前記シーンの背景内のオブジェクトを含む単一の画像を生成するものである。
　また、引用文献２発明のアレイをなす複数のカメラのそれぞれのカメラは、アレイにおけるカメラの位置において、画像を取得するものであり、当該画像は、カメラの位置の違いにより、それぞれ異なるものである。そして、カメラの間の距離により、撮像された画像が異なることは自明であり、画像の異なり方により、合成された画像の背景のぼかし効果が異なることは明らかである。そうすると、引用文献２発明のアレイをなす複数のカメラにおいて、前記背景内のオブジェクトは、前記アレイの大きさ及び／又は前記アレイ内の前記複数のカメラの間隔に応じたぼかし効果を有することは明らかである。
　したがって、引用発明の「カメラ」に引用文献２発明の「アレイをなす複数のカメラ」を採用した構成は、「前記複数のカメラからのそれぞれの画像を組み合わせて、焦点があって見える関心オブジェクトと、ぼけて見える前記シーンの背景内のオブジェクトを含む単一の画像を生成し、前記背景内のオブジェクトは、前記アレイの大きさ及び／又は前記アレイ内の前記複数のカメラの間隔に応じたぼかし効果を有する」ことは明らかである。
　
（３）まとめ
　以上によると、引用発明の「カメラ」に、引用文献２発明の「アレイをなす複数のカメラ」を採用し、「アレイをなす複数のカメラを含むプライバシー・カメラ」とすることは当業者が容易に想到し得ることである。
　そして、上記容易想到の構成は、「アレイをなす複数のカメラを含むプライバシー・カメラ」は、「前記複数のカメラからのそれぞれの画像を組み合わせて、焦点があって見える関心オブジェクトと、ぼけて見える前記シーンの背景内のオブジェクトを含む単一の画像を生成」するものであり、「前記背景内のオブジェクトは、前記アレイの大きさ及び／又は前記アレイ内の前記複数のカメラの間隔に応じたぼかし効果を有する」ものである。
　　
２　相違点２について
　引用発明は、「浅い被写界深度を有するビデオ画像、すなわち、前景４４２におけるユーザ４３０の画像のみが焦点が合った状態に保持され、一方で、室内用鉢植え植物４５０および家族メンバ４６０は、不鮮明にされて不明瞭にされるビデオ画像を生成する段階」（構成ｂ）及び「取り込まれたビデオ画像の、焦点が合った状態に保持されるターゲット部分以外の部分を所定の画像と入れ替えたビデオ画像を生成する段階」（構成ｃ）を含んでおり、当該構成は、ユーザの画像以外の画像を不明瞭にされるビデオ画像を生成する段階、及びターゲット部分以外の部分を所定の画像と入れ替えたビデオ画像を生成する段階であり、プライバシーを守るための対処の仕方である。
　２つの対処の仕方を選択できるようにすることは、当業者が容易になし得ることである。
　したがって、引用発明において、「背景ぼかしおよび背景置換を含むプライバシー・モードからプライバシー・モードを決定する段階」を含むようにすることは、当業者が容易に想到し得ることである。
　そして、そのように想到し得た方法においては、「背景ぼかしであるとき」及び「背景置換であるとき」が「前記決定されたプライバシー・モードが背景ぼかしであるとき」及び「前記決定されたプライバシー・モードが背景置換であるとき」となる。
　　
３　効果
　本願発明が奏する効果は、その容易想到である構成から当業者が容易に予測し得る範囲内のものであり、同範囲を超える顕著なものでもない。
　　
第５　むすび
　以上のとおり、本願の請求項１に係る発明は、引用文献１に記載された発明及び引用文献２に記載された発明に基づいて当業者が容易に発明をすることができたものであるから、特許法第２９条第２項の規定により特許を受けることができない。 
　　
　したがって、本願は、他の請求項について検討するまでもなく、拒絶すべきものである。
　　
　よって、結論のとおり審決する。